(57)【要約】【課題】外部に存在する腐食性を有する液体によるコアプレートの腐食を抑え、ヘッダタンクにおける流体の漏れを抑制可能な熱交換器を提供する。【解決手段】コアプレート２１の収容溝部２１２の底壁部２１２ａとタンク本体部２２のフランジ部２２１の底面２２１ａとの間に、シール部材２３の第１シール部２３１を弾性変形した状態で狭持する。さらに、コアプレート２１の収容溝部２１２の外側壁部２１２ｂとタンク本体部２２のフランジ部２２１の側面２２１ｃとの間に、シール部材２３の第２シール部２３２を弾性変形した状態で狭持する。これにより、腐食性を有する液体が、収容溝部２１２の外側壁部２１２ｂとフランジ部２２１の側面２２１ｃとの隙間から収容溝部２１２の底壁部２１２ａ側へ侵入してしまうことを抑えることができる。【選択図】図５
2018151075.tif 000002
【特許請求の範囲】
【請求項１】
流体が流通する複数のチューブ（１１）が積層されたコア部（１０）と、
前記チューブの長手方向の端部に配置され、前記チューブの積層方向に沿って延びると共に前記複数のチューブに連通するヘッダタンク（２０、３０）と、を備え、
前記ヘッダタンクは、
前記チューブの長手方向の端部が複数のチューブ挿入穴（２１１ａ）に挿入された状態で、前記複数のチューブが接合されたコアプレート（２１）と、
前記コアプレートに固定され、前記コアプレートと共に前記複数のチューブに連通するタンク内部空間（２０ｂ）を形成するタンク本体部（２２）と、
前記タンク本体部と前記コアプレートとで狭持されて前記タンク内部空間からの流体の漏れを抑えるシール部材（２３）と、を有しており、
前記コアプレートは、
前記複数のチューブ挿入穴が形成されたチューブ接合部（２１１）と、
前記チューブ接合部の外側を囲むと共に、前記タンク本体部の先端部（２２１）、および前記シール部材を収容する環状の収容溝部（２１２）と、を有しており、
前記収容溝部は、前記タンク本体部の先端部における前記コアプレートに対向する対向面との間に前記シール部材を収容する収容空間（２１ａ）を形成する底壁部（２１２ａ）、および前記底壁部の外周側に立設された外側壁部（２１２ｂ）を有しており、
前記シール部材は、前記底壁部と前記タンク本体部の先端部における前記底壁部に対向する底面（２２１ａ）とで狭持されると共に、前記外側壁部と前記タンク本体部の先端部における前記側壁部と対向する側面（２２１ｃ）とで狭持されていることを特徴とする熱交換器。
【請求項２】
前記シール部材は、
前記底壁部と前記タンク本体部の先端部における前記底壁部に対向する底面とで狭持される第１シール部（２３１）と、
前記側壁部と前記タンク本体部の先端部における前記側壁部と対向する側面とで狭持される第２シール部（２３２）と、を有しており、
前記第１シール部および前記第２シール部は、別部材として構成されていることを特徴とする請求項１に記載の熱交換器。
【請求項３】
前記シール部材は、
前記底壁部と前記タンク本体部の先端部における前記底壁部に対向する底面とで狭持される第１シール部（２３ａ）と、
前記側壁部と前記タンク本体部の先端部における前記側壁部と対向する側面とで狭持される第２シール部（２３ｂ）と、を有しており、
前記第１シール部および前記第２シール部は、単一の部材で構成されていることを特徴とする請求項１に記載の熱交換器。
【請求項４】
車両に搭載された放熱器を構成しており、
前記コア部は、前記複数のチューブの内部を流れる流体を車室外空気と熱交換させて冷却する放熱部を構成していることを特徴とする請求項１ないし３のいずれか１つに記載の熱交換器。
【発明の詳細な説明】
【技術分野】
【０００１】
本発明は、熱交換器に関するもので、水冷式の内燃機関の冷却水を冷却するラジエータに好適である。
【背景技術】
【０００２】
従来、熱交換器は、複数のチューブと複数のコルゲートフィンとを交互に積層して構成されるコア部、チューブにおける長手方向の端部に接合されてチューブに連通するヘッダタンク等を備えている。ヘッダタンクは、チューブが挿入接合されるコアプレート、およびコアプレートに対して端部が固定され、コアプレートと共にヘッダタンクの内部空間を形成するタンク本体部を備えている。コアプレートは、ヘッダタンク内側に平坦面を有すると共に、複数のチューブが挿入されるチューブ挿入穴が設けられたチューブ接合部、チューブ接合部の外側に設けられてタンク本体部の端部を受け入れる溝部が設けられている。
【０００３】
この種の熱交換器では、コアプレートの溝部にシール部材（ガスケット）を配置し、当該シール部材を溝部の底部とタンク本体部の端部とで狭持する構成が知られている（例えば、特許文献１参照）。これにより、ヘッダタンク内部における封止性の確保を図っている。
【先行技術文献】
【特許文献】
【０００４】
【特許文献１】米国特許第５９７９５４６号明細書
【発明の概要】
【発明が解決しようとする課題】
【０００５】
ところで、本発明者らは、コアプレートの溝部の底部とタンク本体部の端部とでシール部材を狭持した熱交換器において、ヘッダタンク内部の流体の漏れの有無を調査研究した。この結果、ヘッダタンクにおいて流体の僅かなにじみ漏れが生ずることがあった。
【０００６】
これに対して、にじみ漏れが発生した熱交換器について本発明者らが調査したところ、該当する熱交換器はコアプレートの溝部の底部が腐食していた。そして、この腐食によりコアプレートの溝部の底部とシール部材との間に微小な隙間が形成されることで、ヘッダタンク内部の流体が漏れていることが明らかとなった。
【０００７】
そこで、本発明者らは、ヘッダタンクにおける流体の漏れという課題を解決すべく、コアプレートの溝部の底部の腐食要因について詳細に検討した。この結果、熱交換器の外部に存在する腐食性を有する液体が、コアプレートの溝部とヘッダタンクの端部との間に形成される隙間からコアプレートの溝部の底部に侵入して滞留することが原因であることが判った。
【０００８】
本発明は上記点に鑑みて、外部に存在する腐食性を有する液体によるコアプレートの腐食を抑え、ヘッダタンクにおける流体の漏れを抑制可能な熱交換器を提供することを目的とする。
【課題を解決するための手段】
【０００９】
請求項１に記載の発明は、流体が流通する複数のチューブ（１１）が積層されたコア部（１０）と、チューブの長手方向の端部に配置され、チューブの積層方向に沿って延びると共に複数のチューブに連通するヘッダタンク（２０、３０）と、を備える熱交換器を対象としている。
【００１０】
上記目的を達成するため、請求項１に記載の発明では、
ヘッダタンクは、
チューブの長手方向の端部が複数のチューブ挿入穴（２１１ａ）に挿入された状態で、複数のチューブが接合されたコアプレート（２１）と、
コアプレートに固定され、コアプレートと共に複数のチューブに連通するタンク内部空間（２０ｂ）を形成するタンク本体部（２２）と、
タンク本体部とコアプレートとで狭持されてタンク内部空間からの流体の漏れを抑えるシール部材（２３）と、を有しており、
コアプレートは、
複数のチューブ挿入穴が形成されたチューブ接合部（２１１）と、
チューブ接合部の外側を囲むと共に、タンク本体部の先端部（２２１）、およびシール部材を収容する環状の収容溝部（２１２）と、を有しており、
収容溝部は、タンク本体部の先端部におけるコアプレートに対向する対向面との間にシール部材を収容する収容空間（２１ａ）を形成する底壁部（２１２ａ）、および底壁部の外周側に立設された外側壁部（２１２ｂ）を有しており、
シール部材は、底壁部とタンク本体部の先端部における底壁部に対向する底面（２２１ａ）とで狭持されると共に、外側壁部とタンク本体部の先端部における側壁部と対向する側面（２２１ｃ）とで狭持されていることを特徴としている。
【００１１】
このように、シール部材をコアプレートの収容溝部における底壁部とタンク本体部の先端部における底面とで狭持する構成とすれば、ヘッダタンクにおけるタンク内部空間を封止することができる。
【００１２】
加えて、本発明の熱交換器では、シール部材をコアプレートの収容溝部における外側壁部とタンク本体部の先端部における側面とで狭持する構成としている。このため、熱交換器の外部から腐食性を有する液体がコアプレートの収容溝部の底壁部とシール部材との間に侵入することを抑制することができる。
【００１３】
従って、熱交換器の外部に存在する腐食性を有する液体によるコアプレートの腐食を抑えて、ヘッダタンクにおける流体の漏れを抑制することが可能となる。
【００１４】
なお、この欄および特許請求の範囲で記載した各手段の括弧内の符号は、後述する実施形態に記載の具体的手段との対応関係の一例を示すものである。
【図面の簡単な説明】
【００１５】
【図１】第１実施形態に係るラジエータの模式的な正面図である。
【図２】第１実施形態に係るラジエータのヘッダタンクを含む要部の断面斜視図である。
【図３】第１実施形態に係るラジエータのコアプレート単体の正面図である。
【図４】第１実施形態に係るラジエータのコアプレート単体の下面図である。
【図５】第１実施形態に係るラジエータのヘッダタンクを含む要部をチューブ長手方向に沿って切断した際の断面図である。
【図６】第１実施形態に係るラジエータのヘッダタンクを含む要部をチューブ積層方向に沿って切断した際の断面図である。
【図７】比較例に係るラジエータのヘッダタンクの外側における液体の流れを説明するための断面図である。
【図８】第１実施形態に係るラジエータのヘッダタンクの外側における液体の流れを説明するための断面図である。
【図９】第２実施形態に係るラジエータのヘッダタンクを含む要部をチューブ長手方向に沿って切断した際の断面図である。
【図１０】第２実施形態に係るラジエータのヘッダタンクの外側における液体の流れを説明するための断面図である。
【発明を実施するための形態】
【００１６】
以下、本発明の実施形態について図面を参照して説明する。なお、以下の各実施形態において、先行する実施形態で説明した事項と同一もしくは均等である部分には、同一の参照符号を付し、その説明を省略する場合がある。
【００１７】
また、各実施形態において、構成要素の一部だけを説明している場合、構成要素の他の部分に関しては、先行する実施形態において説明した構成要素を適用することができる。
【００１８】
以下の実施形態は、特に組み合わせに支障が生じない範囲であれば、特に明示していない場合であっても、各実施形態同士を部分的に組み合わせることができる。
【００１９】
（第１実施形態）
本実施形態について図１〜図８を参照して説明する。本実施形態では、本発明に係る熱交換器を、車両に搭載されて車室外空気（外気）との熱交換により冷却対象である流体（例えば、冷却水）を冷却する放熱器に適用している。具体的には、本実施形態では、本発明に係る熱交換器を、車両前方側の空間に配置されて、水冷式の内燃機関（図示略）の冷却水を外気と熱交換して冷却するラジエータ１に適用している。
【００２０】
まず、本実施形態のラジエータ１の基本構成について図１を参照して説明する。図１に示すように、本実施形態のラジエータ１は、冷却水を上下方向に沿って流すダウンフロー型の熱交換器で構成されている。ラジエータ１は、内燃機関の冷却水を外気と熱交換させる放熱部であるコア部１０を有する。コア部１０は、チューブ１１とフィン１２とが水平方向に沿って交互に複数積層配置された積層体で構成されている。以下、本実施形態では、各チューブ１１および各フィン１２の積層方向をチューブ積層方向ＹＤと呼ぶ。なお、チューブ積層方向ＹＤは、水平方向に沿って延びる方向である。
【００２１】
各チューブ１１は、その内部に内燃機関（図示略）の冷却水が流通する流路が形成されている。本実施形態の各チューブ１１は、その長手方向が上下方向に沿って延びると共に、その断面における長径となる方向が外気の流通方向に沿って延びるように扁平形状に構成されている。
【００２２】
ここで、偏平形状とは、曲率半径の大きい円弧部と曲率半径の小さい円弧部とを結合した曲線形状からなる楕円形状や、円弧部と平坦部とを結合した形状からなる長円形状等を包含するものである。なお、本実施形態では、説明の便宜上、チューブ１１の長手方向をチューブ長手方向ＸＤと呼び、チューブ長手方向ＸＤおよびチューブ積層方向ＹＤに直交する方向をチューブ幅方向ＺＤと呼ぶ。なお、チューブ幅方向ＺＤは、チューブ１１の長径となる方向と一致する方向である。
【００２３】
フィン１２は、外気との伝熱面積を増大させて、外気と冷却水との熱交換を促進する部材である。本実施形態のフィン１２は、コルゲート状に成形されており、チューブ１１の両側の平坦面に対して接合されている。
【００２４】
本実施形態の各チューブ１１、およびフィン１２それぞれは、熱伝導率、耐食性等に優れた金属（例えば、アルミニウム合金）で構成されている。本実施形態のラジエータ１は、各チューブ１１、フィン１２、後述するコアプレート２１、後述するサイドプレート４０が、各部材の所定箇所に被覆されたろう材により一体にろう付け接合されている。
【００２５】
各チューブ１１におけるチューブ長手方向ＸＤの両端部には、チューブ積層方向ＹＤに延びると共に、内部に空間が形成された一対のヘッダタンク２０、３０が配置されている。各ヘッダタンク２０、３０は、各チューブ１１のチューブ長手方向ＸＤの端部が、後述するコアプレート２１のチューブ挿入穴２１１ａに挿入された状態で接合されている。そして、各チューブ１１における内部通路は、各ヘッダタンク２０、３０の内部に形成されるタンク内部空間２０ｂに連通している。
【００２６】
一対のヘッダタンク２０、３０のうち、一方のヘッダタンクは、内燃機関から流出した高温の冷却水を各チューブ１１に分配供給する入口側タンク２０を構成している。入口側タンク２０には、図示しないホースを介して内燃機関の冷却水の出口側に接続される流入口パイプ２０ａが設けられている。
【００２７】
一対のヘッダタンク２０、３０のうち、他方のヘッダタンクは、コア部１０において外気との熱交換により冷却された冷却水を集合回収して排出する出口側タンク３０を構成している。出口側タンク３０には、図示しないホースを介して内燃機関の冷却水の入口側に接続される流出口パイプ３０ａが設けられている。
【００２８】
コア部１０におけるチューブ積層方向ＹＤの両端部には、コア部１０を補強するサイドプレート４０が配置されている。サイドプレート４０は、チューブ長手方向ＸＤに沿って延びており、その両端が各ヘッダタンク２０、３０に接続されている。本実施形態のサイドプレート４０は、アルミニウム合金等の金属で構成されている。
【００２９】
続いて、各ヘッダタンク２０、３０の詳細な構造について、図２〜図６を参照して説明する。図２に示すように、各ヘッダタンク２０、３０は、チューブ１１が挿入された状態で接合されたコアプレート２１、コアプレート２１と共に各ヘッダタンク２０、３０のタンク内部空間２０ｂを形成するタンク本体部２２、およびシール部材２３を有している。
【００３０】
本実施形態では、シール部材２３をコアプレート２１とタンク本体部２２との間に挟んだ状態で、後述するコアプレート２１の突出片２１３をタンク本体部２２に押しつけるように塑性変形させてタンク本体部２２をコアプレート２１にカシメ固定している。
【００３１】
本実施形態のコアプレート２１は、熱伝導率、耐食性等に優れた金属（例えば、アルミニウム合金）で構成されている。図３、図４に示すように、コアプレート２１は、チューブ１１を接合するチューブ接合部２１１、チューブ接合部２１１の周囲に、後述するタンク本体部２２のフランジ部２２１およびシール部材２３を収容する環状の収容溝部２１２を有している。
【００３２】
収容溝部２１２は、図４、図５に示すように、３つの壁面を有し、Ｕ字形状に構成されている。すなわち、収容溝部２１２は、チューブ積層方向ＹＤから見たときに、チューブ幅方向ＺＤに延びる底壁部２１２ａ、底壁部２１２ａからＬ字状に折り曲げられてチューブ長手方向ＸＤに延びる外側壁部２１２ｂおよび内側壁部２１２ｃを有している。
【００３３】
各壁部２１２ａ〜２１２ｃと後述するタンク本体部２２のフランジ部２２１におけるコアプレート２１に対向する対向面との間には、シール部材２３を収容する収容空間２１ａが形成されている。
【００３４】
外側壁部２１２ｂは、底壁部２１２ａの外周側に立設された壁部である。また、内側壁部２１２ｃは、底壁部２１２ａの内周側に立設された壁部である。そして、収容溝部２１２の外側壁部２１２ｂの端部には、図３に示すように、カシメ用の複数の突出片２１３が形成されている。
【００３５】
チューブ接合部２１１には、図４、図５に示すように、各チューブ１１におけるチューブ長手方向ＸＤの端部を挿入した状態でろう付け接合するための複数のチューブ挿入穴２１１ａがチューブ積層方向ＹＤに所定の間隔をあけて並ぶように形成されている。
【００３６】
本実施形態のコアプレート２１は、チューブ接合部２１１と収容溝部２１２の内側壁部２１２ｃとが接続されることで構成されている。これにより、コアプレート２１は、チューブ接合部２１１と収容溝部２１２の底壁部２１２ａとの間の部位が段付き形状となっている。
【００３７】
続いて、タンク本体部２２について説明する。本実施形態のタンク本体部２２は、ガラス繊維で強化されたガラス強化ポリアミド等の樹脂で形成されている。本実施形態のタンク本体部２２には、コアプレート２１に近接する先端部に他の部位よりも厚みが大きいフランジ部２２１が設けられている。
【００３８】
フランジ部２２１は、収容溝部２１２に収容可能な大きさに形成されている。フランジ部２２１は、収容溝部２１２の底壁部２１２ａに対向する底面２２１ａ、収容溝部２１２の外側壁部２１２ｂに対向する側面２２１ｃを有している。
【００３９】
本実施形態のフランジ部２２１の底面２２１ａには、収容溝部２１２の底壁部２１２ａ側に向かって突出する突起部２２１ｂが設けられている。この突起部２２１ｂは、後述するシール部材２３の第１シール部２３１を収容溝部２１２の底壁部２１２ａ側に押し付ける際に、第１シール部２３１の位置等を安定させるために設けられている。
【００４０】
フランジ部２２１は、フランジ部２２１の底面２２１ａと収容溝部２１２の底壁部２１２ａとが離間すると共に、フランジ部２２１の側面２２１ｃと収容溝部２１２の外側壁部２１２ｂとが離間した状態で、収容溝部２１２に収容されている。これにより、フランジ部２２１と収容溝部２１２との間には、シール部材２３を収容する収容空間２１ａが形成されている。
【００４１】
続いて、シール部材２３について説明する。本実施形態のシール部材２３は、別部材で構成された第１シール部２３１および第２シール部２３２を有している。各シール部２３１、２３２は、収容溝部２１２に収容可能なように環状に形成されている。各シール部２３１、２３２は、弾性変形可能なゴムで構成されている。なお、各シール部２３１、２３２は、例えば、シリコンゴムや、ＥＰＤＭ（エチレン・プロピレン・ジエンゴム）で形成すればよい。
【００４２】
本実施形態の第１シール部２３１は、ヘッダタンク２０、３０のタンク内部空間２０ｂを封止するために設けられている。本実施形態の第１シール部２３１は、収容溝部２１２の底壁部２１２ａとフランジ部２２１の底面２２１ａとの間に、弾性変形した状態で狭持されている。
【００４３】
本実施形態の第２シール部２３２は、ラジエータの外部から腐食性を有する液体が、収容溝部２１２と第１シール部２３１との間に侵入することを抑えるために設けられている。本実施形態の第１シール部２３１は、収容溝部２１２の外側壁部２１２ｂとフランジ部２２１の側面２２１ｃとの間に、弾性変形した状態で狭持されている。
【００４４】
次に、上記構成を備えるラジエータ１の製造方法の概略について説明する。まず、ラジエータ１を構成する各部品を用意する（用意工程）。この用意工程には、チューブ接合部２１１、収容溝部２１２、突出片２１３を有するコアプレート２１を成形する工程が含まれる。
【００４５】
続いて、用意工程で用意したチューブ１１、フィン１２、サイドプレート４０を作業台上で、チューブ積層方向ＹＤに組み付けることにより、コア部１０等を仮組みする（仮組工程）。
【００４６】
そして、チューブ挿入穴２１１ａが形成されたコアプレート２１をコア部１０に組付けた後、ワイヤ等の治具により組付けた状態を保持する。コアプレート２１をコア部１０に組付けた状態の組付体を、加熱された炉内に置くことで、コアプレート２１、コア部１０の各要素をろう付けにより接合する（ろう付け接合工程）。
【００４７】
ろう付け接合工程の終了後、コアプレート２１の収容溝部２１２に、タンク本体部２２のフランジ部２２１およびシール部材２３を収容する。具体的には、第１シール部２３１を収容溝部２１２の底壁部２１２ａに配置すると共に、第２シール部２３２をフランジ部２２１の側面２２１ｃに巻き付けた状態で、収容溝部２１２にフランジ部２２１およびシール部材２３を収容する。
【００４８】
そして、収容溝部２１２にフランジ部２２１およびシール部材２３を収容した状態で、コアプレート２１の各突出片２１３をプレス加工等により塑性変形させることで、コアプレート２１に対してタンク本体部２２をかしめ固定する。
【００４９】
続いて、漏れ検査、および寸法検査等を行う検査工程を経てラジエータ１の製造が完了する。なお、漏れ検査等では、ラジエータ１の各部品の接合箇所にろう付け不良やかしめ不良等が生じていないかを確認する。
【００５０】
以上説明した本実施形態のラジエータ１は、上述の構成を備えることで、以下の効果を奏する。本実施形態のラジエータ１は、コアプレート２１の収容溝部２１２の底壁部２１２ａとタンク本体部２２のフランジ部２２１の底面２２１ａとの間に、シール部材２３の第１シール部２３１を弾性変形した状態で狭持する構成としている。これにより、各ヘッダタンク２０、３０のタンク内部空間２０ｂを封止することができる。
【００５１】
ここで、図７は、収容溝部２１２の底壁部２１２ａとフランジ部２２１の側面２２１ｃとの間に、シール部材２３の第１シール部２３１だけを配置する構成（以下、比較例と呼ぶ。）の要部を示す断面図である。
【００５２】
比較例に係る構成では、第１シール部２３１により、各ヘッダタンク２０、３０のタンク内部空間２０ｂが封止されることで、ヘッダタンク２０、３０からの冷却水の漏れが抑えられる。
【００５３】
しかしながら、比較例に係る構成では、外部から腐食性を有する液体（例えば、海水や酸性の雨）が、図７の矢印で示すように、収容溝部２１２の外側壁部２１２ｂとフランジ部２２１の側面２２１ｃとの隙間Ｃから収容溝部２１２の底壁部２１２ａ側に侵入する。
【００５４】
そして、腐食性を有する液体が収容溝部２１２の底壁部２１２ａに滞留すると、底壁部２１２ａにおける第１シール部２３１と接する部位が腐食する。この腐食により、底壁部２１２ａと第１シール部２３１との間に微小な隙間が形成されることで、ヘッダタンク２０、３０から冷却水が僅かに漏れてしまうことがある。
【００５５】
これに対して、本実施形態のラジエータ１は、コアプレート２１の収容溝部２１２の外側壁部２１２ｂとタンク本体部２２のフランジ部２２１の側面２２１ｃとの間に、シール部材２３の第２シール部２３２を弾性変形した状態で狭持する構成としている。
【００５６】
これによれば、図８に示すように、収容溝部２１２の外側壁部２１２ｂとフランジ部２２１の側面２２１ｃとの隙間Ｃが第２シール部２３２により閉塞される。このため、腐食性を有する液体が、収容溝部２１２の外側壁部２１２ｂとフランジ部２２１の側面２２１ｃとの隙間Ｃから収容溝部２１２の底壁部２１２ａ側へ侵入してしまうことを抑えることができる。
【００５７】
従って、本実施形態のラジエータ１によれば、ラジエータ１の外部に存在する腐食性を有する液体によるコアプレート２１の腐食を抑えて、ヘッダタンク２０、３０における流体の漏れを抑制することができる。
【００５８】
また、本実施形態では、シール部材２３を構成する各シール部２３１、２３２を別部材で構成している。これによれば、各シール部２３１、２３２を任意の位置に設けることができ、設計の自由度を確保することができる。
【００５９】
ここで、車両に搭載されて、コア部１０にてチューブ１１内を流れる流体を外気と熱交換させて冷却する放熱器は、外気と共に腐食性を有する液体（例えば、海水や酸性の雨）が流入し易い。このため、本実施形態の如く、ラジエータ１に対して、腐食性を有する液体の収容溝部２１２の底壁部２１２ａ側への侵入を抑える構造を用いることが特に望ましい。
【００６０】
（第２実施形態）
次に、第２実施形態について、図９、図１０を参照して説明する。本実施形態では、単一のシール部材２３により、腐食性を有する液体の収容溝部２１２の底壁部２１２ａ側への侵入を抑える構成としている点が第１実施形態と相違している。
【００６１】
図９に示すように、本実施形態のシール部材２３は、第１シール部２３ａと第２シール部２３ｂとが連結部２３ｃを介して接続されている。なお、各シール部２３ａ、２３ｂおよび連結部２３ｃは、射出成形等により一体に成形されている。
【００６２】
ここで、連結部２３ｃの厚みが、各シール部２３ａ、２３ｂの厚みよりも大きいと、収容溝部２１２とフランジ部２２１との隙間が意図しない位置でシールされてしまうことが懸念される。このため、連結部２３ｃの厚みは、各シール部２３ａ、２３ｂの厚みよりも小さくすることが望ましい。
【００６３】
その他の構成は、第１実施形態と同様である。本実施形態では、収容溝部２１２の外側壁部２１２ｂとフランジ部２２１の側面２２１ｃとの間に、シール部材２３の第２シール部２３ｂを狭持する構成としている。このため、第１実施形態と同様に、ラジエータ１の外部に存在する腐食性を有する液体によるコアプレート２１の腐食を抑えて、ヘッダタンク２０、３０における流体の漏れを抑制することができる。
【００６４】
また、本実施形態では、第１シール部２３ａおよび第２シール部２３ｂを単一の部材で構成している。このため、部品点数を増加させることなく、簡素な構成で、外部に存在する腐食性を有する液体によるコアプレート２１の腐食を抑えることが可能なラジエータ１を実現することができる。
【００６５】
（他の実施形態）
以上、本発明の実施形態について説明したが、本発明は上述の実施形態に限定されるものではなく、特許請求の範囲に記載した範囲内において適宜変更が可能である。例えば、以下のように種々変形可能である。
【００６６】
（１）上述の各実施形態では、ラジエータ１を、冷却水を上下方向に沿って流すダウンフロー型の熱交換器で構成する例について説明したが、これに限定されない。ラジエータ１は、例えば、冷却水を水平方向に沿って流すクロスフロー型の熱交換器で構成されていてもよい。
【００６７】
（２）上述の各実施形態では、本発明の熱交換器を車両用のラジエータ１に適用する例について説明したが、これに限定されない。本発明の熱交換器は、車両用の冷凍サイクルの室外熱交換器に適用したり、車両以外に用いられる定置置の冷凍機等の放熱器に適用したりしてもよい。
【００６８】
（３）上述の実施形態において、実施形態を構成する要素は、特に必須であると明示した場合および原理的に明らかに必須であると考えられる場合等を除き、必ずしも必須のものではないことは言うまでもない。
【００６９】
（４）上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【００７０】
（５）上述の実施形態において、構成要素等の形状、位置関係等に言及するときは、特に明示した場合および原理的に特定の形状、位置関係等に限定される場合等を除き、その形状、位置関係等に限定されない。
【符号の説明】
【００７１】
２１      コアプレート
２１１    チューブ接合部
２１１ａ  チューブ挿入穴
２１２    収容溝部
２１２ａ  底壁部
２１２ｂ  外側壁部
２２      タンク本体部
２２１    フランジ部（タンク本体部の先端部）
２２１ａ  底面
２２１ｃ  側面
２３      シール部材
【図１】
2018151075.tif 000003
【図２】
2018151075.tif 000004
【図３】
2018151075.tif 000005
【図４】
2018151075.tif 000006
【図５】
2018151075.tif 000007
【図６】
2018151075.tif 000008
【図７】
2018151075.tif 000009
【図８】
2018151075.tif 000010
【図９】
2018151075.tif 000011
【図１０】
2018151075.tif 000012